(57)【要約】【課題】人手や手間をほとんどかけることなく蚕を育てることができる養蚕方法を提供すること。【解決手段】パレット３にシート状に形成した養蚕用飼料１を敷き、その上にネット４を配設して蚕を収容した養蚕用ベッド６を無菌室５に重畳して配置するとともに、蚕が１齢から５齢まで成長する間に１〜数回前記養蚕用飼料１を補給する。【選択図】　図１
2004129546.tif 000002
【特許請求の範囲】
【請求項１】
乾燥した桑の葉、脱脂大豆粉末及びおからを主成分とし、これに水を添加して混練したものを、加熱殺菌し、略均一な厚さのシート状に形成してなることを特徴とする養蚕用飼料。
【請求項２】
前記主成分に、少なくとも、トウモロコシ粉末、セルロース、クエン酸、ビタミンＣ、植物コレステロール、クロトン酸、イノシトールを添加することを特徴とする請求項１記載の養蚕用飼料。
【請求項３】
パレットにシート状に形成した養蚕用飼料を敷き、その上にネットを配設して蚕を収容した養蚕用ベッドを無菌室に重畳して配置するとともに、蚕が１齢から５齢まで成長する間に１〜数回前記養蚕用飼料を補給することを特徴とする養蚕方法。
【請求項４】
１齢から齢を重ねる毎に、蚕を複数の養蚕用ベッドに分割して収容することを特徴とする請求項３記載の養蚕方法。
【発明の詳細な説明】
【０００１】
【発明の属する技術分野】
本発明は、養蚕用飼料及び養蚕方法に関し、特に、人手や手間をほとんどかけることなく蚕を育てることができる養蚕用飼料及び養蚕方法に関するものである。
【０００２】
【従来の技術】
絹は優雅な光沢と豊富な染色性、程良い弾性と強靱性、保温性、水の吸収特性など衣料繊維として優れた特性を持ち、軽くて温かくて、美しく、今でも繊維の女王にふさわしく、我々の健康保持にとってもすばらしい天然の繊維である。
この絹は、蚕の飼育によって産生されることはよく知られている。
【０００３】
ところで、蚕は桑の葉を唯一の餌とし、眠期を除いて毎日数回ずつ給餌している。幼虫期は約２５日でその間４回脱皮し、最終齢の５齢期に約１週間要して体内で桑から絹蛋白を合成し、絹糸腺に貯え成熟して、２〜３日かかって途切れなく約１２００ｍの糸を吐き、繭を作る。
繭の中の蚕はサナギになり、約２週間かかって成虫（蛾）となって繭層をアルカリ性の唾液でゆるめて脱出し、雌雄交尾して約６００粒産卵して数日後に死亡する。
【０００４】
絹を収得する場合は、繭から蛾が脱出する前の繭の時期に生糸を捕集する。生糸は一個の繭から紡ぐものではなく、数個の繭を集めて繰り糸したもので、この生糸から絹製品が作られる。
【０００５】
また、近年、繭を生糸の生産以外の用途、例えば、化粧品や石鹸に配合したり、サナギを冬虫夏草等のキノコの栽培地として用いたり、さらには、蚕の遺伝子を操作することによってタンパク質の合成を行う等、蚕をバイオ関連技術に利用されてきている。
【０００６】
【発明が解決しようとする課題】
ところで、このように、工業的な広範囲の用途に用いられるようになってきているにもかかわらず、上記従来の養蚕方法においては、蚕の幼虫期である約２５日の間、桑の葉を毎日しかも数回ずつ給餌しなければならないことから、大変な人手と手間を要するという問題を有していた。
【０００７】
本発明は、上記従来の養蚕用飼料及び養蚕方法が有する問題点に鑑み、人手や手間をほとんどかけることなく蚕を育てることができる養蚕用飼料及び養蚕方法を提供することを目的とする。
【０００８】
【課題を解決するための手段】
上記目的を達成するため、本発明の養蚕用飼料は、乾燥した桑の葉、脱脂大豆粉末及びおからを主成分とし、これに水を添加して混練したものを、加熱殺菌し、略均一な厚さのシート状に形成してなることを特徴とする。
この場合、前記主成分に、少なくとも、トウモロコシ粉末、セルロース、クエン酸、ビタミンＣ、植物コレステロール、クロトン酸、イノシトールを添加することができる。
【０００９】
この養蚕用飼料は、桑の葉を用いず、入手が容易で工業的に量産可能な特定の成分からなる原料に水を添加して混練したものを、加熱殺菌し、略均一な厚さのシート状に形成したものであるため、例えば、パレットにこの養蚕用飼料を敷き、その上にネットを配設して蚕を収容し、無菌室に入れることにより、飼料を腐らせることなく、１〜数回の飼料の補給で蚕を最後まで育てることができる。
【００１０】
また、本発明の養蚕方法は、パレットにシート状に形成した養蚕用飼料を敷き、その上にネットを配設して蚕を収容した養蚕用ベッドを無菌室に重畳して配置するとともに、蚕が１齢から５齢まで成長する間に１〜数回前記養蚕用飼料を補給することを特徴とする。
【００１１】
この養蚕方法は、パレットにシート状に形成した養蚕用飼料を敷き、その上にネットを配設して蚕を収容した養蚕用ベッドを無菌室に重畳して配置することから、人手や手間をほとんどかけることなく、１〜数回養蚕用飼料を補給するだけで蚕を最後まで育てることができる。
【００１２】
この場合において、１齢から齢を重ねる毎に、蚕を複数の養蚕用ベッドに分割して収容することができる。
【００１３】
これにより、省スペースで効率よく蚕を育てることができる。
【００１４】
【発明の実施の形態】
以下、本発明の養蚕用飼料及び養蚕方法の実施の形態を図面に基づいて説明する。
【００１５】
図１〜図２に、本発明の養蚕用飼料及び養蚕方法の一実施例を示す。
養蚕用飼料１は、図２に示すように、混練器や加熱器、成型器を備えた飼料製造装置２により、入手が容易で工業的に量産可能な特定の成分からなる原料に水を適量添加して混練したものを加熱殺菌することによって、図１に示すような略均一な厚さのシート状に形成される。
【００１６】
養蚕用飼料１としては、乾燥した（好ましくは、天日乾燥した）桑の葉、脱脂大豆粉末及びおからを主成分とし、これに水を適量添加するようにする。
この場合、前記主成分に、少なくとも、トウモロコシ粉末、セルロース、クエン酸、ビタミンＣ、植物コレステロール、クロトン酸、イノシトールを添加することができる。
そして、より具体的な配合割合としては、例えば、重量比で、桑葉粉末３２％、脱脂大豆粉末４７％、トウモロコシ粉末１３％、セルロース３％、クエン酸２．１％、ビタミンＣ１．５％、植物コレステロール０．４％、クロトン酸０．４％、イノシトール０．２％、微量成分０．４％とし（この場合、各成分は、±３０の範囲で増減することができる）、これに乾燥おから粉末を、例えば、重量比で１０〜５０％添加して混合し、これに水を適量添加するようにする。
【００１７】
蚕（図示省略）は、孵化してから繭を作るまで、この養蚕用飼料１を１匹あたり約５ｇしか摂取しないことから、例えば、最初の１回の養蚕用飼料１の供給のみを行い、後は養蚕用飼料１を補給することなく蚕を成長させることが技術的には可能である。
したがって、この養蚕用飼料１では、例えば、パレット３にこの養蚕用飼料１を敷き、その上にネット４を配設して蚕を収容し、無菌室５に入れることにより、飼料１を腐らせることなく、１〜数回の飼料１の補給で蚕を最後まで育てることができる。
【００１８】
そして、本発明の養蚕方法は、蚕を収容した養蚕用ベッド６を無菌室に重畳して配置する。
養蚕用ベッドは、図１に示すように、パレット３に紙７を敷いてから前記養蚕用飼料１を敷き、その上に蚕が掴まるネット４を配設し、蚕を収容して、蚕が１齢から５齢まで成長する間に１回から数回、養蚕用飼料１を補給する。
この養蚕方法では、パレット３に養蚕用飼料１を敷くとともに、その上にネット４を配設して蚕を収容し、このような養蚕用ベッド６を無菌室５に重畳して配置するだけでよく、このため、人手や手間をほとんどかけることなく、１〜数回養蚕用飼料１を補給するだけで蚕を最後まで育てることができる。
【００１９】
この場合、１齢から齢を重ねる毎に蚕は急速に成長するため、蚕を１齢から齢を重ねる毎に複数の養蚕用ベッド６に分割して収容することも可能である。
このときは、複数あるネット単位で分けるようにすれば、ネット４に掴まっている蚕ごと、蚕にさわることなく、しかも略均等な数で分けることができる。
このように、蚕を成長段階で複数の養蚕用ベッド６に分けることにより、省スペースで効率よく蚕を育てることができる。
【００２０】
具体的には、図１に示すように、孵化前の卵を消毒した後、無菌の１〜３齢室で成長させ、４齢は４齢室、５齢は５令室に入れ、繭作りは上簇室で行うようにする。
この場合、１〜３齢室は、温度２８〜３０℃、湿度８０〜９０％程度に、４齢室は、温度２５〜２７℃、湿度６０〜７０％程度に、５令室は、温度２２〜２４℃、湿度６０〜７０％程度に維持することが望ましい。
これにより、１年を通じて、安定して蚕の飼育することができる。
【００２１】
以上、本発明の実施例を説明したが、本発明の養蚕用飼料や養蚕方法の構成は、この実施例の記載に限定されるものではなく、その趣旨を逸脱しない範囲において適宜に変更することが可能である。
【００２２】
【発明の効果】
本発明の養蚕用飼料によれば、桑の葉を用いず、入手が容易で工業的に量産可能な特定の成分からなる原料に水を添加して混練したものを、加熱殺菌し、略均一な厚さのシート状に形成したものであるため、例えば、パレットにこの養蚕用飼料を敷き、その上にネットを配設して蚕を収容し、無菌室に入れることにより、飼料を腐らせることなく、１〜数回の飼料の補給で蚕を最後まで育てることができ、工業的な広範囲の用途に用いられるようになってきている蚕を、衛生的な環境で、大量に飼育することができる。
【００２３】
また、本発明の養蚕方法によれば、パレットにシート状に形成した養蚕用飼料を敷き、その上にネットを配設して蚕を収容した養蚕用ベッドを無菌室に重畳して配置することから、人手や手間をほとんどかけることなく、１〜数回養蚕用飼料を補給するだけで蚕を最後まで育てることができる。
【００２４】
この場合、１齢から齢を重ねる毎に、蚕を複数の養蚕用ベッドに分割して収容することにより、省スペースで効率よく蚕を育てることができる。
【図面の簡単な説明】
【図１】本発明の養蚕用飼料と養蚕方法で使用する養蚕用ベッドを示す分解斜視図である。
【図２】本発明の養蚕方法で使用する設備の一例を示す平面図である。
【符号の説明】
１　　養蚕用飼料
２　　飼料製造装置
３　　パレット
４　　ネット
５　　無菌室
６　　養蚕用ベッド
７　　紙
【図１】
2004129546.tif 000003
【図２】
2004129546.tif 000004